(57)【要約】      （修正有）【課題】円筒型ドラムを簡単に取り外すことのできる、円筒型ごみ貯留装置支持治具を提供する。【解決手段】本体部３と、前記本体部の上部に設けられ、円筒型ごみ貯留装置を載せる載置面を有する支持部７と、前記本体部の下部に設けられ、前記本体部を移動させる移動機構４と、前記本体部に取り付けられ、前記支持部の高さを調節する昇降機構５とを具備する。支持部７の載置面上に円筒型ごみ貯留装置の円筒型ドラムを載せ、昇降機構を用いて支持部を上昇させることにより、円筒型ドラムを安定して支持することができる。また、移動機構４が設けられているため、円筒型ドラムを旋回軸受から取り外した後、円筒型ドラムを簡単に移動させることができる。載置面上に円筒型ドラムを載せることにより、円筒型ドラムを安定に支持することができる。また、円筒型ドラムの上方に部材を配置する必要が無いので、狭いスペースでも簡単に円筒型ドラムを取り外すことが可能になる。【選択図】図５
0003163463.tif 000002
【実用新案登録請求の範囲】
【請求項１】
本体部と、
前記本体部の上部に設けられ、円筒型ごみ貯留装置を載せる載置面を有する支持部と、
前記本体部の下部に設けられ、前記本体部を移動させる移動機構と、
前記本体部に取り付けられ、前記支持部の高さを調節する昇降機構と、
を具備する
円筒型ごみ貯留装置支持治具。
【請求項２】
請求項１に記載された円筒型ごみ貯留装置支持治具であって、
前記移動機構は、車輪を含んでいる
円筒型ごみ貯留装置支持治具。
【請求項３】
請求項１または２に記載された円筒型ごみ貯留装置支持治具であって、
前記本体部は、下部本体部と、上部本体部とを有し、
前記昇降機構は、前記下部本体部と前記上部本体部とを連結するジャッキボルト機構を含んでおり、
前記支持部は、前記上部本体部に取り付けられている
円筒型ごみ貯留装置支持治具。
【請求項４】
請求項１乃至３のいずれかに記載された円筒型ごみ貯留装置支持治具であって、
前記支持部は、前記載置面として、前記円筒型ごみ貯留装置の外形に対応した曲面を有している
円筒型ごみ貯留装置支持治具。
【請求項５】
請求項１乃至４のいずれかに記載された円筒型ごみ貯留装置支持治具であって、
前記支持部は、前記載置面に取り付けられた弾性部材を有している
円筒型ごみ貯留装置支持治具。
【請求項６】
請求項１乃至５のいずれかに記載された円筒型ごみ貯留装置支持治具であって、
更に、
前記本体部に取り付けられ、前記円筒型ゴミ貯留装置を固縛する固縛部材の両端部分と係合する、係合構造、
を具備する
円筒型ごみ貯留装置支持治具。
【考案の詳細な説明】
【技術分野】
【０００１】
本考案は、円筒型ごみ貯留装置支持治具に関する。
【背景技術】
【０００２】
ごみを一時的に貯留するために、円筒型ごみ貯留装置が用いられることがある。図１は、円筒型ごみ貯留装置の一例を示す概略図である。この円筒型ごみ貯留装置は、円筒型ドラム１００、支持枠１０１、旋回軸受１０２、受ローラ１０３、及び排出蓋１０４を有している。円筒型ドラム１００は、ごみを貯留する部分であり、水平方向に寝かされて配置されている。円筒型ドラム１００の一端には投入口１０７が設けられ、他端には排出口１０８が設けられている。排出口１０８には、排出蓋１０４が開閉可能に取り付けられている。支持枠１０１は、旋回軸受１０２及び受ローラ１０３を支持するために設けられている。円筒型ドラム１００は、投入口１０７側で旋回軸受１０２に旋回可能に嵌め込まれ、ボルトなどの締結機構によって旋回軸受１０２と締結されている。また、円筒型ドラム１００は、排出口１０８側で受ローラ１０３によって回転可能に支持されている。円筒型ドラム１００の内部には、図示しない送り羽根が設けられている。
【０００３】
上述の円筒型ごみ貯留装置では、ごみが、投入口１０７を介して円筒型ドラム１００内に投入される。円筒型ドラム１００は、図示しないモータなどにより、回転させられる。すると、送り羽根により、投入されたごみが排出口１０８側へ送られる。これによって、円筒型ドラム１００内において、ごみを高密度で貯留することができる。また、排出蓋１０４を開放して円筒型ドラム１００を回転させることにより、貯留されたごみを排出することが可能である。
【０００４】
ところで、円筒型ごみ貯留装置では、メンテナンス時（例えば、劣化した旋回軸受１０２の交換時など）などにおいて、円筒型ドラム１００が取り外されることがある。
【０００５】
関連技術として、特許文献１（特開２００６−１７５９６１号公報）には、ポンプやタンクのような円筒状の重量物を昇降、移動、及び回転可能に支持し、該円筒状重量物を所定部位に横向き状に取り付け、あるいは取り外しする作業を少人数で安全に効率よく行えるようにすることを課題とした技術が記載されている。この特許文献１には、受台上に適宜間隔を離して平行に固設された一対のガイドレールと、両端部をそれぞれガイドレールに支持することによりガイドレールに沿ってそれぞれ独立して摺動自在になるように設けられた一対の支持フレームと、該支持フレームをガイドレールの適宜位置に固定される位置固定手段と、該各支持フレーム上に適宜間隔を離して設けられ円筒状重量物を横置き状に載置することで円筒状重量物を回転自在に支持する一対のローラとからなることを特徴とした円筒状重量物支持装置、が記載されている。
【先行技術文献】
【特許文献】
【０００６】
【特許文献１】特開２００６−１７５９６１号公報
【考案の概要】
【考案が解決しようとする課題】
【０００７】
特許文献１に記載された円筒状重量物支持装置によれば、円筒状重量物を昇降、移動、及び回転可能に支持することができる。しかしながら、円筒状重量物は、一対のローラにより回転自在に支持される。円筒型ごみ貯留装置の円筒型ドラムは、重量が非常に大きい。従って、取り外し作業中に円筒型ドラムが回転すると、危険である。すなわち、特許文献１に記載される円筒状重量物支持装置を用いて円筒型ごみ貯留装置の円筒型ドラムを取り外すことは、安全性の観点から現実的ではない。
【０００８】
円筒型ドラム１００を取り外すために、門型と吊具を用いる手法が考えられる。図２は、円筒型ごみ貯留装置を示す概略図であり、円筒型ドラムの取り外し方法の一例を示している。また、図３は、図２に示される円筒型ごみ貯留装置を排出口１０８側から見たときの概略図である。図２及び図３に示されるように、円筒型ドラム１００の周囲に、門型１０５が組み立てられる。門型１０５の上部からは、チェーンブロックなどの吊具１０６が吊り下げられる。吊具１０６は、円筒型ドラム１００に巻き付けられる。これにより、円筒型ドラム１００が吊具１０６によって支持される。その後、円筒型ドラム１００と旋回軸受１０２とを締結するボルトが取り外される。さらに、円筒型ドラム１００を取り外す際に円筒型ドラム１００と干渉する部材（例えば受ローラ１０３など）が、取り外される。その後、吊具１０６によって支持された円筒型ドラム１００が、排出口１０８側へ移動させられる。旋回軸受１０２の交換などの必要な作業が行われ、再び吊具１０６に支持された円筒型ドラム１００が旋回軸受１０２に挿入される。
【０００９】
しかしながら、図２及び図３に示される手法では、門型１０５を組み立てるために、コスト及び時間を要する。また、円筒型ドラム１００は巨大であるため、門型１０５の高さも高くなる（例えば３ｍ以上）。門型１０５を組み立てるため、高所で作業を行う必要があり、落下防止のための安全性を十分に確保する必要がある。また、円筒型ごみ貯留装置は、多くの場合、屋内に設置される。そのため、作業可能なスペースが制限される。作業可能なスペースに応じて、門型１０５の仕様や組立方法等をその都度決めなければならない。さらには、円筒型貯留装置の設置場所によっては、門型１０５に要するスペースが確保できない場合もある。門型１０５を組み立てるためのスペースが無い場合には、天井などにアンカを打設し、アンカから吊部１０６を吊り下げることが考えられる。しかし、天井が損傷してしまうので、好ましくは無い。また、円筒型ドラム１００が吊具１０６によって吊り下げられるため、円筒型ドラム１００が揺れることがある。従って、円筒型ドラム１００の揺れに対しても、十分に配慮して作業を行う必要がある。
【００１０】
従って、本考案の目的は、円筒型ドラムを簡単に取り外すことのできる、円筒型ごみ貯留装置支持治具を提供することにある。
【課題を解決するための手段】
【００１１】
本考案に係る円筒型ごみ貯留装置支持治具は、本体部と、前記本体部の上部に設けられ、円筒型ごみ貯留装置を載せる載置面を有する支持部と、前記本体部の下部に設けられ、前記本体部を移動させる移動機構と、前記本体部に取り付けられ、前記支持部の高さを調節する昇降機構とを具備する。
【００１２】
この考案によれば、支持部の載置面上に円筒型ごみ貯留装置の円筒型ドラムを載せ、昇降機構を用いて支持部を上昇させることにより、円筒型ドラムを安定して支持することができる。また、移動機構が設けられているため、円筒型ドラムを旋回軸受から取り外した後、円筒型ドラムを簡単に移動させることができる。載置面上に円筒型ドラムを載せることにより、円筒型ドラムを安定に支持することができる。また、円筒型ドラムの上方に部材を配置する必要が無いので、狭いスペースでも簡単に円筒型ドラムを取り外すことが可能になる。
【考案の効果】
【００１３】
本考案によれば、円筒型ドラムを簡単に取り外すことのできる、円筒型ごみ貯留装置支持治具が提供される。
【図面の簡単な説明】
【００１４】
【図１】円筒型ごみ貯留装置の一例を示す概略図である。
【図２】円筒型ごみ貯留装置を示す概略図である。
【図３】円筒型ごみ貯留装置を排出口側から見たときの概略図である。
【図４】円筒型ごみ貯留装置を示す概略図である。
【図５】円筒型ごみ貯留装置支持治具を示す拡大図である。
【図６】図５に示されるＡ方向から円筒型ごみ貯留装置支持治具を見たときの図である。
【考案を実施するための形態】
【００１５】
以下に、図面を参照しつつ、本実施形態に係る円筒型ごみ貯留装置支持治具１について説明する。図４は、本実施形態に係る円筒型ごみ貯留装置を示す概略図である。この円筒型ごみ貯留装置は、図１に示した装置と同様に、円筒型ドラム１００、支持枠１０１、旋回軸受１０２、受ローラ１０３、及び排出蓋１０４を有している。これらの構成は、図１に示した例と同様とすることができるので、詳細な説明は省略する。
【００１６】
本実施形態に係る円筒型ごみ貯留装置支持治具１は、円筒型ドラム１００を旋回軸受１０２から取り外すために用いられる。円筒型ごみ貯留装置支持治具１は、複数（本実施形態では２個）用いられ、床面９と円筒型ドラム１００との間に配置される。
【００１７】
図５は、円筒型ごみ貯留装置支持治具１を示す拡大図である。また、図６は、図５に示されるＡ方向から円筒型ごみ貯留装置支持治具１を見たときの図である。
【００１８】
図５に示されるように、円筒型ごみ貯留装置支持治具１は、本体部３、車輪４、ジャッキボルト機構５、係合構造６、及び支持部７を備えている。
【００１９】
本体部３は、上部本体部３−１及び下部本体部３−２を有している。
【００２０】
ジャッキボルト機構５は、上部本体部３−１と下部本体部３−２とを、昇降可能となるように連結している。
【００２１】
車輪４は、下部本体部３−２の下部に取り付けられている。車輪４により、本体部３は床面９上を自由に移動可能である。
【００２２】
支持部７は、円筒型ドラム１００を支持するために設けられており、上部本体部３−１の上部に設けられている。図６に示されるように、支持部７は、円筒型ドラム１００が載せられる載置面を有している。載置面は、円筒型ドラム１００の形状に対応しており、断面が円弧状になるような曲面を形成している。また、載置面上には、円筒型ドラム１００の損傷防止などを目的として、弾性部材（例えばゴム材）８が貼り付けられている。
【００２３】
係合構造６は、円筒型ドラム１００を固縛する固縛部材２（例えばレバーブロックなど）を固定する為に設けられている。図６に示されるように、係合構造６は、上部本体部３−１の両側部に設けられた開口を有している。固縛部材２の両端部をこの開口に係合させることにより、円筒型ドラム１００が固縛部材２によって固定される。
【００２４】
続いて、本実施形態に係る円筒型ドラム１００の取り外し方法について説明する。
【００２５】
図４に示したように、床面９と円筒型ドラム１００との間に、少なくとも２個の円筒型ごみ貯留装置支持治具１を配置する。次いで、ジャッキボルト機構５を操作し、上部本体部３−１を上昇させる。これにより、支持部７が円筒型ドラム１００に当接し、円筒型ドラム１００が円筒型ごみ貯留装置支持治具１によって支持される。このとき、載置面が円筒型ドラム１００の形状に対応しているため、円筒型ドラム１００は安定に支持される。また、載置面に弾性部材８が貼り付けられているため、円筒型ドラム１００に傷が付くこともない。
【００２６】
更に、固縛部材２を円筒型ドラム１００に巻き付け、固縛部材２の両端を係合構造６と係合させる。これにより、円筒型ドラム１００が固縛部材２によって固定される。
【００２７】
次いで、円筒型ドラム１００と旋回軸受１０２とを締結するボルトなどを取り外す。更に、受ローラ１０３など、円筒型ドラム１００を移動させる際に円筒型ドラム１００と干渉する部材を取り外す。そして、円筒型貯留装置交換治具１を排出口１０８側に移動させ、円筒型ドラム１００を取り外す。このとき、車輪４が設けられているため、簡単に円筒型ドラム１００を移動させることが可能である。
【００２８】
その後、旋回軸受１０２の交換など、必要な作業を行う。そして、円筒型貯留装置交換治具１を投入口１０７側へ移動させ、円筒型ドラム１００を旋回軸受１０２に挿入する。そして、円筒型ドラム１００と旋回軸受１０２とをボルトなどにより締結する。
【００２９】
以上の動作により、円筒型ドラム１００の取り外し及び取り付けが完了する。
【００３０】
本実施形態によれば、ジャッキボルト機構５を有する円筒型ごみ貯留装置支持治具１を用いることにより、門型などを組み立てることなく、円筒型ドラム１００を支持することができる。従って、門型などを組むための工事費用や作業時間を削減することができる。
【００３１】
また、取り外し時には、円筒型ごみ貯留装置支持治具１が、床面９と円筒型ドラム１００との間に配置される。床面９と円筒型ドラム１００との間に円筒型ごみ貯留装置支持治具１を配置するだけのスペースが存在していればよく、狭いスペースで円筒型ドラム１００を取り外すことが可能である。
【００３２】
また、図２及び図３に示したように、門型を用いる場合には、円筒型ドラム１００の設置場所などに応じて、門型の組立方法を検討しなければならない。これに対して、本実施形態によれば、そのような検討は必要がなく、簡単に円筒型ドラム１００を取り外すことが可能である。
【００３３】
また、本実施形態によれば、車輪４が設けられているため、簡単に円筒型ドラム１００を移動させることができる。
【００３４】
また、本実施形態では、載置面に弾性部材８が取り付けられているため、円筒型ドラム１００を傷つけることなく取り外すことができる。
【００３５】
尚、本実施形態では、載置面の断面形状が円弧状である場合について説明した。但し、載置面の断面形状は、必ずしも円弧状である必要はない。例えば、その断面形状は、取り外し対象の円筒型ドラム１００の外径に対応する角度で折り曲げられたＶ字状となっていてもよい。
【００３６】
また、支持部７は、本体部３に対して着脱自在に取り付けられていることが好ましい。円筒型ドラム１００の外径などは、円筒型ごみ貯留装置の仕様により異なっている場合がある。支持部７が本体部３に対して着脱自在に取り付けられていることにより、交換対象の円筒型ドラム１００の外径に応じて、最適な載置面を有する支持部７を用いることが可能となる。これにより、様々な外径を有する円筒型ドラム１００を、同一の円筒型ごみ貯留装置支持治具１を用いて取り外すことが可能となる。
【符号の説明】
【００３７】
１  円筒型ごみ貯留装置支持治具
２  固縛部材
３  本体部
３−１  上部本体部
３−２  下部本体部
４  車輪（移動機構）
５  ジャッキボルト（昇降機構）
６  係合構造
７  支持部
８  弾性部材
１００  円筒型ドラム
１０１  支持フレーム
１０２  旋回軸受
１０３  受ローラ
１０４  排出蓋
１０５  門型
１０６  吊具
１０７  投入口
１０８  排出口
【図１】
0003163463.tif 000003
【図２】
0003163463.tif 000004
【図３】
0003163463.tif 000005
【図４】
0003163463.tif 000006
【図５】
0003163463.tif 000007
【図６】
0003163463.tif 000008